(57)【要約】  【課題】  消臭作用または防臭作用または殺菌作用の一以上の作用を有する薬剤を便蓋において保持できる便器を提供すること。  【解決手段】  消臭作用または防臭作用または殺菌作用の一以上の作用を有する薬剤６を便蓋５の裏側５ａにおいて保持する薬剤保持部７を備えている。【選択図】    図１
2008006087.tif 000002
【特許請求の範囲】
【請求項１】
消臭作用または防臭作用または殺菌作用の一以上の作用を有する薬剤を便蓋の裏側において保持する薬剤保持部を備えたことを特徴とする便器。
【請求項２】
前記薬剤保持部が、前記薬剤を収納保持した状態で、便蓋の裏側に着脱自在に取り付けられ、通気性を有する請求項１に記載の便器。
【請求項３】
前記薬剤保持部が、前記薬剤が収納されている薬剤収納部材を収納保持した状態で、便蓋の裏側に着脱自在に取り付けられ、通気性を有する請求項１に記載の便器。
【請求項４】
前記薬剤保持部が、抗菌又は消臭作用を有する薬剤を含有するように形成されている請求項１ないし３のいずれかに記載の便器。
【請求項５】
前記薬剤保持部が、便蓋の裏側に着脱自在に取り付けられる吸盤機能を有するシート状の軟質部材と、前記薬剤が収納された状態で前記軟質部材に着脱自在に取り付けられ、通気性を有する薬剤収納部材とよりなる請求項１に記載の便器。
【請求項６】
前記シート状の軟質部材に、裏側に開口しその開口が内部よりも狭まっているポケット部が設けられ、前記開口を介して前記ポケット部に前記薬剤収納部材が取り付けられ、さらに、前記ポケット部は前記内部に連通する連通孔を表面部に有する請求項５に記載の便器。
【請求項７】
前記シート状の軟質部材に、表側に開口しその開口が内部よりも狭まっているポケット部が設けられ、前記開口を介して前記ポケット部に前記薬剤収納部材が取り付けられる請求項５に記載の便器。
【請求項８】
前記シート状の軟質部材が、抗菌又は消臭作用を有する薬剤を含有するように形成されている請求項５ないし７のいずれかに記載の便器。
【発明の詳細な説明】
【技術分野】
【０００１】
この発明は、便蓋を備えた洋式の便器に関するものである。
【背景技術】
【０００２】
トイレにおいては市販の消臭剤を適当な位置に設置したり、薬剤が溶け込んだ洗浄水を流したりして便器からの異臭を消す対策が取られている。そして、便器本体の上面側に回動可能に設けられた便座および便蓋を備えた洋式の便器（以下、単に便器という）においては、前記異臭を消す対策として、上記した以外に、温水洗浄のためのスイッチボックスを備えた暖房便座に脱臭剤収納用ポケットを設けたりしたものはある。
【発明の開示】
【発明が解決しようとする課題】
【０００３】
しかしながら、便器本体を覆う前記便蓋を利用し、この便蓋に消臭剤が取り付けられるタイプの便器はなかった。
【０００４】
この発明は、消臭作用または防臭作用または殺菌作用の一以上の作用を有する薬剤を便蓋において保持できる便器を提供することを目的とする。
【課題を解決するための手段】
【０００５】
上記目的を達成するために、この発明の便器は、消臭作用または防臭作用または殺菌作用の一以上の作用を有する薬剤を便蓋の裏側において保持する薬剤保持部を備えたことを特徴としている。
【発明の効果】
【０００６】
この発明では、消臭作用または防臭作用または殺菌作用の一以上の作用を有する薬剤を便蓋の裏側において保持する薬剤保持部を備えている。
すなわち、便器本体を覆う前記便蓋は、薬剤を保持する薬剤保持部を裏面側（下面側）に備えているので、この薬剤により便器本体からの異臭を消すことができ、便蓋が開かれている間は、薬剤によって便室内を消臭できるものであり、これにより、従来では薬剤の設置場所の選択に気を配る必要があったが、この発明では設置場所が特定されるので、また、使用者の動作に支障を来すことのない場所（便蓋の裏側）に薬剤を設置することができるようになったので、設置場所の選択の煩わしさから解消されることになり、狭い便室の場合には特に有効である。
しかも、便蓋が閉じられている間は便蓋が便器本体の内面を密閉するので、薬剤の例えば消臭機能が便器本体内およびその近傍における空間で集中的に発揮され、これにより、薬剤による消臭が非常に効果的に行われることになる。そのため、薬剤を便蓋の裏側において保持させるこの発明の方が、薬剤を便蓋の表側において保持させる場合に比べて便器本体の内面からの異臭を消す効果は大である。また、前記薬剤が例えば防臭作用または殺菌作用を有している場合にも、それらの作用（機能）が上記消臭作用と同様に効果的に発揮されることとなる。
さらに、メンテナンスは、消耗した薬剤入りの薬剤保持部を便蓋の裏側から取り外し、これを、新しい薬剤入りの薬剤保持部と交換するだけの容易な作業で済ませることができる。
【発明を実施するための最良の形態】
【０００７】
以下、この発明の実施の形態を、図を参照しながら説明する。なお、それによってこの発明は限定されるものではない。
【０００８】
図１、２は、吸盤機能を有するシート状の軟質部材に薬剤収納部材を取り付け、この軟質部材を便蓋の裏側に着脱自在に設置するように構成したこの発明の第１の実施の形態を示す。図１，２において、洋式の大便器（便器）１は、便室（トイレ）内の床Ｆに固定設置されている便器本体２と、左右一対のヒンジ３，３によって便器本体２の上面側に回動可能に設けられた合成樹脂製の便座４および合成樹脂製の便蓋５と、例えば消臭作用を有する薬剤６を便蓋５の裏側において保持する薬剤保持部７とから主としてなる。８は、便器本体２に流す洗浄水を貯留するタンクである。
【０００９】
前記薬剤保持部７は、便蓋５の裏面５ａに着脱自在に取り付けられる吸盤機能を有するシート状の軟質部材９と、前記薬剤６を収納し、前記軟質部材９に着脱自在に取り付けられ、通気性を有する薬剤収納部材１０とで主として構成されている。シート状の軟質部材９は、軟質材料（例えばポリプロピレン等の合成樹脂）を主体としてなる平面視ほぼ円形状の部材で、図２（Ｂ）に示すように、自然状態では、その中央部が盛り上がるように（いわゆるコンタクトレンズの形状に近い形状となるように）構成されており、かつ、中央部ｍが端部ｎよりも若干厚くなっている。そして、便蓋５の裏面５ａに貼られた例えばポリプロピレンよりなる平面視ほぼ円形状の両面テープ１１の一方面１１ａ上に軟質部材９がその裏面９ａ側から貼り付けられる。両面テープ１１は平面視において軟質部材９よりも大きく形成されており、両面テープ１１内に軟質部材９が位置するよう便蓋５の裏面５ａに軟質部材９が取り付けられる。この際、軟質部材９を便蓋５の裏面５ａに押圧することで発生する吸着力により、軟質部材９は両面テープ１１を介して便蓋５の裏面５ａに取り付けられる。なお、軟質部材９は、柔軟性を持たせるため、シリコン系のゴム材や軟質塩化ビニール等の合成樹脂よりなる半硬質部材で構成されてもよい。また、両面テープ１１を不要にして、軟質部材９に発生する吸着力により、便蓋５の裏面５ａに直接軟質部材９を取り付けることもできる。そして、軟質部材９の表面９ｂ側の適宜の位置には把手１２が設けられている。把手１２は、両面テープ１１を介して便蓋５の裏面５ａに取り付けられた軟質部材９を取り外すために引っ張られるものであり、その引っ張り操作を容易に行える形状となっている。
【００１０】
さらに、シート状の軟質部材９の中央には、裏側に開口しその開口１３が内部よりも狭まっている単一のポケット部１４が設けられている。図２（Ａ）に示すように、開口１３は平面視ほぼ十字形状をしている。そして、開口１３を介して軟質部材９の裏面９ａ側からポケット部１４の内部空間Ｓ内に、薬剤６を収納した薬剤収納部材１０が取り付けられる。また、ポケット部１４は、内部空間Ｓに連通するよう表面部分１６を貫通して形成された複数の通気用の連通孔１５を有する。この通気用の連通孔１５は、薬剤６に消臭機能を確実に発揮させるために、ポケット部１４に設けたものである。
すなわち、ポケット部１４は、図１、図２（Ｃ）に示すように、軟質部材９の表面９ｂ側から見て平面視ほぼ十字形状をしていると共に、軟質部材９の裏面側からみて凹んだ凹入部となっており、これに伴い、軟質部材９の表面側に突出部分が形成されている。そして、ポケット部１４内に薬剤収納部材１０が収容される。薬剤収納部材１０をポケット部１４内に挿入する際には、ポケット部１４の内側に延び、平面視ほぼ十字形状の開口１３を形成する開口縁部１４ａが、図１に示すように、薬剤収納部材１０により押し上げられて弾性変形し、これにより、ポケット部１４の開口幅が広くなって薬剤収納部材１０のポケット部１４内への進入が可能となる。そして、薬剤収納部材１０がポケット部１４内に収容された状態となると、その復元力により元の形状に戻った前記開口縁部１４ａが薬剤収納部材１０を保持する状態となり、これにより、薬剤収納部材１０のポケット部１４への取り付けが完了したこととなる。なお、薬剤収納部材１０をポケット部１４から取り外すには、前記開口縁部１４ａの薬剤収納部材１０を保持する力に抗して薬剤収納部材１０をポケット部１４から引っ張りだすだけでよい。
【００１１】
この実施の形態では、ポケット部１４に薬剤収納部材１０を一つのみ収容した例を示しているが、複数の薬剤収納部材１０をポケット部１４に収容してもよいことはもちろんである。
また、ポケット部１４の形状は、平面視ほぼ十字形状に限られず、例えば、平面視ほぼ一文字形状、ほぼ米字形状、ほぼ＊（ａｓｔｅｒｉｓｋ）記号形状、ほぼ♯（ｓｈａｒｐ）記号形状等であってもよい。さらに、ポケット部１４の数は一つに限られず二つ以上であってもよい。
また、ポケット部１４を設けることにより軟質部材９の表面９ｂ側に形成される突出部分を掴みやすい形状とすれば、把手としての機能を持たせることができる。
また、シート状の軟質部材９は平面視円形状に限られず、例えば平面視が楕円形状や矩形状等となるように構成されていてもよい。
【００１２】
前記薬剤６は、例えば、便器本体２からの異臭を消す消臭作用を有し、０．５〜２０ｍｍ（例えば４ｍｍ程度）の粒径を有する粒状をしている。そして、この実施の形態では、薬剤６として、東亜合成株式会社製のケスモン（商標）が用いられている。なお、薬剤６は、粒状のものに限られず、粉状であってもよい。ところで、一般的に市販されている塩素系消臭剤は、当該薬剤から発生した塩素ガスにより便室内の異臭を消すが、発生する塩素ガスは合成樹脂製の軟質部材９の劣化の原因の一つになるおそれがあり、また、前記塩素ガスによりその使用者等の健康上の問題も生じる。しかし、この実施の形態で薬剤６として用いる上記ケスモン（商標）は、異臭を吸着により消す無機系の消臭剤であり、上記塩素系消臭剤のように塩素ガスを発生させないので、合成樹脂製の軟質部材９を劣化させたり、その使用者等の健康を害することもなく、安全性が高い。
【００１３】
前記薬剤収納部材１０は、不織布よりなる袋状でスティックタイプの通気性を有する部材であり、軟質部材９の開口１３を介してポケット部１４に着脱自在に保持される。さらに、軟質部材９はコンパクトな構成となっているので、その保管のためのスペースが小さくてよく、そのうえ、保管時に、軟質部材９を、例えば便室等にある壁に、軟質部材９に発生する吸着力により密着させ、その壁と軟質部材９とで薬剤収納部材１０をほぼ密閉した状態とすれば、薬剤６が余計な消臭を行わなくなるので必然的に薬剤６の長寿命化を図ることができる。なお、上記密閉を行うためには、軟質部材９が、前記薬剤収納部材１０を覆った状態で壁に密着させることができる程度にその中央部が周縁部よりも盛り上がった形状となっていればよい。
【００１４】
また、薬剤収納部材１０は軟質部材９に対して着脱自在となっているので、薬剤６の寿命が尽きた場合には、その薬剤６を収納した薬剤収納部材１０を、新しい薬剤６を収納した薬剤収納部材１０に交換すればよく、これにより、軟質部材９は交換せずに長期間使用することができる。
【００１５】
また、軟質部材９が抗菌又は消臭作用を有する薬剤を含有するように形成されていてもよい。前記抗菌作用を有する薬剤としては、例えば、東亜合成株式会社製のカビノン（商標）を用いることができる。これは、イソチアゾリン系有機剤とシリカ系無機剤のハイブリッド（複合）材料を含むものである。軟質部材９に前記抗菌作用を有する薬剤を添加する場合、その添加量（含有量）は例えば２〜１０重量％とすることが好ましい。これは、前記薬剤の添加量が２重量％よりも少ないと抗菌効果が低下し易くなり、１０重量％よりも多いと軟質部材９の主たる材料（例えばポリプロピレン等の合成樹脂）に前記薬剤を均一に混合するのが困難となるためである。また、前記消臭作用を有する薬剤として、上述した東亜合成株式会社製のケスモン（商標）を用いることができる。
【００１６】
また、この実施の形態では、薬剤収納部材１０を不織布よりなる袋状の部材としていたが、例えば、硬質材料（合成樹脂等）よりなるケースによって薬剤収納部材１０を構成し、薬剤収納部材１０をいわゆるカートリッジ（カプセル）タイプとしてもよい。この場合、薬剤収納部材１０に保持させた薬剤６に消臭機能を確実に発揮させるために、薬剤収納部材１０に通気用の穴を設け、また、この穴は薬剤６を通過させない程度とする必要がある。
以上、この実施の形態では、シート状の軟質部材に、裏側に開口しその開口が内部よりも狭まっているポケット部を設けたものを示した。
【００１７】
図３は、シート状の軟質部材に、表側に開口しその開口が内部よりも狭まっているポケット部を設けたこの発明の第２の実施の形態を示す。図３において、図１，２に示した符号と同一のものは同一または相当物である。
第２の実施の形態が上記第１の実施の形態と異なる点は、薬剤保持部７のポケット部２４に、ポケット部２４の内部空間Ｓに連通する平面視ほぼ十字形状の上方開口２５を設けた点である。
図３において、シート状の軟質部材９に、表側に開口しその開口２５が内部よりも狭まっているポケット部２４が設けられ、前記開口２５を介して前記ポケット部２４の内部空間Ｓに、薬剤６を収納した薬剤収納部材１０が取り付けられている。
【００１８】
図４は、例えば消臭作用を有する薬剤６を収納保持する通気性を有する薬剤保持部２７を、ねじ結合により便蓋５の裏面５ａ側に取り付け・取り外しできるように構成したこの発明の第３の実施の形態を示す。図４において、図１〜３に示した符号と同一のものは同一または相当物である。
図４において、薬剤保持部２７は、薬剤６を収納保持する保持部本体２７ａと、出荷の段階で上方開口２９を覆うために設けられる蓋２７ｂとから構成される。保持部本体２７ａは、平面視円形の上方開口２９を有する山形形状に成形され、中央に雌ねじ部３１が形成されており、上方開口２９を介して環状の凹所３２内に薬剤６が収納保持される。一方、便蓋５は、裏面５ａの適宜の位置に、裏面５ａから下方に突出して形成され、雌ねじ３１に螺合する雄ねじ部３０を有する。この雄ねじ部３０は便蓋５と一体に成形されている。さらに、保持部本体２７ａは、凹所３２に連通するよう複数の通気用のスリット３５を有する。この通気用の連通孔３５は、凹所３２内の薬剤６に消臭機能を確実に発揮させるために、保持部本体２７ａに設けたものである。そして、使用時には、蓋２７ｂに設けた把手４０を引くことで蓋２７ｂを、予め薬剤６が収納保持されている保持部本体２７ａから取り外し、その後、保持部本体２７ａの雌ねじ３１を便蓋５の雄ねじ部３０に螺合させることにより、保持部本体２７ａの上端面４１が便蓋５の裏面５ａに当接する状態で保持部本体２７ａが便蓋５の裏面５ａに着脱自在に装着され得る。メンテナンスにおいては、保持部本体２７ａを便蓋５から取り外して薬剤６を新しいものに交換すればよく、これにより、保持部本体２７ａは交換せずに長期間使用することができるようになる。
【図面の簡単な説明】
【００１９】
【図１】この発明の第１の実施の形態における薬剤保持部の便蓋の裏側への取り付け状態および薬剤が収納されている薬剤収納部材のシート状の軟質部材への取り付け手順を説明するための図である。
【図２】（Ａ）は、上記実施の形態における薬剤が収納された薬剤収納部材が取り付けられているシート状の軟質部材を示す下面図である。（Ｂ）は、上記実施の形態における薬剤が収納された薬剤収納部材が取り付けられているシート状の軟質部材を示す断面図である。（Ｃ）は、上記実施の形態における薬剤が収納された薬剤収納部材が取り付けられているシート状の軟質部材を示す上面図である。
【図３】（Ａ）は、この発明の第２の実施の形態における薬剤が収納された薬剤収納部材が取り付けられているシート状の軟質部材を示す下面図である。（Ｂ）は、上記第２の実施の形態における薬剤が収納された薬剤収納部材が取り付けられているシート状の軟質部材を示す断面図である。（Ｃ）は、上記第２の実施の形態における薬剤が収納された薬剤収納部材が取り付けられているシート状の軟質部材を示す上面図である。
【図４】（Ａ）は、この発明の第３の実施の形態における薬剤が収納保持された薬剤保持部が便蓋の裏側に取り付けられている使用状態を示す図である。（Ｂ）は、上記第３の実施の形態における薬剤保持部の便蓋の裏側への取り付け手順を説明するための図である。
【符号の説明】
【００２０】
１          便器
５          便蓋
５ａ        便蓋の裏側
６          薬剤  
７          薬剤保持部
【図１】
2008006087.tif 000003
【図２】
2008006087.tif 000004
【図３】
2008006087.tif 000005
【図４】
2008006087.tif 000006